(57)【要約】【目的】印刷ジョブの所有者の識別を高めることができる印刷制御装置を提供すること。【構成】情報処理装置上でバナー（仕切り紙）を作成する手段と、前記情報処理装置上で作成したバナーにバナー開始命令と終了命令を付加する手段と、プリンタにおいてバナー開始命令と終了命令を抽出してバナーと本文を別ジョブとして処理する手段と、前記プリンタにおいてバナーと本文の間に第三者のジョブが割り込むのを防ぐ手段と、前記プリンタにおいてバナーと本文が同じトレイに出力されるように制御する手段と、バナー部の印刷色を指定する手段を含んで印刷制御装置を構成する。【選択図】      図１
2004240850.tif 000002
【特許請求の範囲】
【請求項１】
カラー印刷が可能なプリンタと接続されたパーソナルコンピュータ等の情報処理装置から成るシステムであって、前記情報処理装置上で、前記プリンタに送信される印刷データを生成する前に、一旦、最終的に前記プリンタに送付する印刷データとは異なる形式のデータ形式（所謂中間コード）での一時保存を行うスプール手段を備え、この中間コード形式で一時保存されたデータから改めて最終的に前記プリンタに送付する印刷データを生成するデスプール手段と、プリンタ制御コマンドを生成する手段を備えたシステムにおいて、
前記情報処理装置上でバナー（仕切り紙）を作成する手段と、前記情報処理装置上で作成したバナーにバナー開始命令と終了命令を付加する手段と、前記プリンタにおいてバナー開始命令と終了命令を抽出してバナーと本文を別ジョブとして処理する手段と、前記プリンタにおいてバナーと本文の間に第三者のジョブが割り込むのを防ぐ手段と、前記プリンタにおいてバナーと本文が同じトレイに出力されるように制御する手段と、バナー部の印刷色を指定する手段を備えたことを特徴とする印刷制御装置。
【請求項２】
前記情報処理装置上でバナー部に対する印刷色指定を一括管理する手段を更に備えることを特徴とする請求項１記載の印刷制御装置。
【請求項３】
カラー印刷が可能なプリンタと接続されたパーソナルコンピュータ等の情報処理装置から成るシステムであって、前記情報処理装置上で、前記プリンタに送信される印刷データを生成する前に、一旦、最終的に前記プリンタに送付する印刷データとは異なる形式のデータ形式（所謂中間コード）での一時保存を行うスプール工程を備え、この中間コード形式で一時保存されたデータから改めて最終的に前記プリンタに送付する印刷データを生成するデスプール工程と、プリンタ制御コマンドを生成する工程を備えたシステムにおいて、
前記情報処理装置上でバナー（仕切り紙）を作成する工程と、前記情報処理装置上で作成したバナーにバナー開始命令と終了命令を付加する工程と、前記プリンタにおいてバナー開始命令と終了命令を抽出してバナーと本文を別ジョブとして処理する工程と、前記プリンタにおいてバナーと本文の間に第三者のジョブが割り込むのを防ぐ工程と、前記プリンタにおいてバナーと本文が同じトレイに出力されるように制御する工程と、バナー部の印刷色を指定する工程を備えたことを特徴とする印刷制御方法。
【請求項４】
前記情報処理装置上でバナー部に対する印刷色指定を一括管理する工程を更に備えることを特徴とする請求項３記載の印刷制御方法。
【請求項５】
カラー印刷が可能なプリンタと接続されたパーソナルコンピュータ等の情報処理装置から成るシステムであって、前記情報処理装置上で、前記プリンタに送信される印刷データを生成する前に、一旦、最終的に前記プリンタに送付する印刷データとは異なる形式のデータ形式（所謂中間コード）での一時保存を行うスプール手段を備え、この中間コード形式で一時保存されたデータから改めて最終的に前記プリンタに送付する印刷データを生成するデスプール手段と、プリンタ制御コマンドを生成する手段を備えたシステムにおいて、
前記情報処理装置上でバナー（仕切り紙）を作成する手段と、前記情報処理装置上で作成したバナーにバナー開始命令と終了命令を付加する手段と、前記プリンタにおいてバナー開始命令と終了命令を抽出してバナーと本文を別ジョブとして処理する手段と、前記プリンタにおいてバナーと本文の間に第三者のジョブが割り込むのを防ぐ手段と、前記プリンタにおいてバナーと本文が同じトレイに出力されるように制御する手段と、バナー部の印刷色を指定する手段を備えたことを特徴とする実行プログラムを格納した媒体。
【請求項６】
前記情報処理装置上でバナー部に対する印刷色指定を一括管理する手段を更に備えることを特徴とする請求項５記載の実行プログラムを格納した媒体。
【発明の詳細な説明】
【０００１】
【発明の属する技術分野】
本発明は、印刷制御装置、印刷制御方法及び実行プログラムを格納した媒体に関するもので、特にパーソナルコンピュータ等の情報処理装置と、カラー印刷可能なプリンタから成るシステムにおけるバナーの生成及び印刷制御に関するものである。
【０００２】
【従来の技術】
バナーとは、Ｎｅｔｗｏｒｋ  Ｓｅｒｖｅｒが作成するバナーや、Ｗｉｎｄｏｗｓ  ｓｙｓｔｅｍが作成するバナーのことを従来は指していた。例えば、Ｎｅｔｗｏｒｋ  Ｓｅｖｅｒ  が作成するバナーを例に挙げて説明すると、クライアントＰＣでドライバが作成したジョブがＮｅｔｗｏｒｋ  Ｓｅｒｖｅｒに届くと、Ｎｅｔｗｏｒｋ  Ｓｅｒｖｅｒはログインしたユーザー名が記述されたバナーをテキストデータで作成し、これを送られてきたジョブの先頭につけてプリンタに送っていた。
【０００３】
又、Ｗｉｎｄｏｗｓ  ｓｙｓｔｅｍが作成するバナーに関しても全く同様で、プリントの命令が実行されると、Ｗｉｎｄｏｗｓ  ｓｙｓｔｅｍがクライアントＰＣにログインしたユーザー名を記述したバナーを作成し、これをジョブの先頭につけてプリンタに送っていた。
【０００４】
しかしながら、上記の方法では、Ｎｅｔｗｏｒｋ  Ｓｅｒｖｅｒが作成するバナーや、Ｗｉｎｄｏｗｓ  ｓｙｓｔｅｍが作成するバナーは、プリンタドライバが作成するＰＤＬプリントジョブとは別ジョブとしてプリンタに送られるため、他のユーザーからのプリントジョブがほぼ同時期に送られると、バナーとプリントジョブの間に第三者のプリントジョブが割り込む可能性があった。これは、自分が印刷したプリントジョブと第三者のプリントジョブを仕切ることがバナーの目的ということを考えると、バナーがプリントジョブと一対にならないことは、バナーの本来の目的を達していないことになる。しかも、最近は、１台のプリンタを複数のユーザーで共有するようなネットワーク接続の高速プリンタが普及してきているため、更にこの問題が顕著化する傾向にあった。
【０００５】
又、ステイプル機能を有するフィニッシャーに、ステイプル指示がされたプリントジョブを送った場合、プリンタドライバが作成するＰＤＬプリントジョブと、バナーが別ジョブとしてプリンタに送られると、ステイプルの指示がされたＰＤＬプリントジョブだけがステイプル機能のあるトレイに出力され、ステイプルの指示がされていないバナーは、標準トレイ、つまりプリントジョブとは異なったトレイに出力されるといった問題もあった。
【０００６】
これらの問題は、バナーがプリントジョブとは別ジョブとして作成されたために発生する問題であるが、昨今はプリンタドライバがバナーを作成し、それをプリンタがバナーとして認識することにより、上記問題を解決するようなモノクロディジタル複合機システムが存在するようになっている。
【０００７】
【発明が解決しようとする課題】
バナー印刷は、主にネットワーク環境において、複数のクライアントＰＣ（ユーザ）が１つのプリンタを共有するような場合、印刷ジョブの所有者を第三者から容易に識別可能にするために、印刷ジョブの先頭に識別情報を付加した出力を行うものであり、バナーページに含まれる情報はたかだかモノクロのテキストで充分に役割を果たすことができる。
【０００８】
しかしながら、バナー印刷は印刷ジョブの所有者を第三者から容易に識別可能にするという目的があるが、従来のようなモノクロ印刷では、色表現が不可能であることから、識別情報としてテキスト情報に頼るしかなく、直感性に欠けるという欠点があった。
【０００９】
本発明は上記問題に鑑みてなされたもので、その目的とする処は、バナーページに出力されるテキスト部に対してテキスト色を割り当てることによって、印刷ジョブの所有者の識別を高めることができる印刷制御装置、印刷制御方法及び実行プログラムを格納した媒体を提供することにある。
【００１０】
【課題を解決するための手段】
上記目的を達成するために、本発明は次のような構成から成る。即ち、カラー印刷が可能なプリンタと接続されたパーソナルコンピュータ等の情報処理装置から成るシステムであって、前記情報処理装置上で、前記プリンタに送信される印刷データを生成する前に、一旦、最終的に前記プリンタに送付する印刷データとは異なる形式のデータ形式（所謂中間コード）での一時保存を行うスプール手段を備え、この中間コード形式で一時保存されたデータから改めて最終的に前記プリンタに送付する印刷データを生成するデスプール手段と、プリンタ制御コマンドを生成する手段を備えたシステムにおいて、前記情報処理装置上でバナー（仕切り紙）を作成する手段と、前記情報処理装置上で作成したバナーにバナー開始命令と終了命令を付加する手段と、前記プリンタにおいてバナー開始命令と終了命令を抽出してバナーと本文を別ジョブとして処理する手段と、前記プリンタにおいてバナーと本文の間に第三者のジョブが割り込むのを防ぐ手段と、前記プリンタにおいてバナーと本文が同じトレイに出力されるように制御する手段と、バナー部の印刷色を指定する手段を備える。
【００１１】
更には、該印刷制御装置は、前記情報処理装置上でバナー部に対する印刷色指定を一括管理する手段を更に備える。
【００１２】
【発明の実施の形態】
以下に本発明の実施の形態について図面を参照して説明する。
【００１３】
＜実施の形態１＞
以下、本発明を適用するのに好適である実施の形態について説明する。
【００１４】
図１は本発明の実施の形態を示すプリンタ制御システムの構成を説明するブロック図である。尚、本発明の機能が実行されるのであれば、単体の機器であっても、複数の機器から成るシステムであっても、ＬＡＮ、ＷＡＮ等のネットワークを介して接続がなされ処理が行われるシステムであっても本発明を適用することができる。
【００１５】
図１において、ホストコンピュータ３０００は、ＲＯＭ３のプログラム用ＲＯＭ或は外部メモリ１１に記憶された文書処理プログラム等に基づいて図形、イメージ、文字、表（表計算等を含む）等が混在した文書処理を実行するＣＰＵ１を備え、システムバス４に接続される各デバイスをＣＰＵ１が総括的に制御する。
【００１６】
又、このＲＯＭ３のプログラム用ＲＯＭ或は外部メモリ１１には、ＣＰＵ１の制御プログラムであるオペレーティングシステムプログラム（以下、ＯＳ）等を記憶し、ＲＯＭ３のフォント用ＲＯＭ或は外部メモリ１１には上記文書処理の際に使用するフォントデータ等を記憶し、ＲＯＭ３のデータ用ＲＯＭ或は外部メモリ１１には上記文書処理等を行う際に使用する各種データを記憶する。ＲＡＭ２は、ＣＰＵ１の主メモリ、ワークエリア等として機能する。
【００１７】
キーボードコントローラ（ＫＢＣ）５は、キーボード９や不図示のポインティングデバイスからのキー入力を制御する。ＣＲＴコントローラ（ＣＲＴＣ）６は、ＣＲＴディスプレイ（ＣＲＴ）１０の表示を制御する。７はディスクコントローラ（ＤＫＣ）で、ブートプログラム、各種のアプリケーション、フォントデータ、ユーザファイル、編集ファイル、プリンタ制御コマンド生成プログラム（以下、プリンタドライバ）等を記憶するハードディスク（ＨＤ）、フロッピーディスク（ＦＤ）等の外部メモリ１１とのアクセスを制御する。プリンタコントローラ（ＰＲＴＣ）８は、双方向性インターフェース（インターフェース）２１を介してプリンタ１５００に接続されて、プリンタ１５００との通信制御処理を実行する。
【００１８】
尚、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。又、ＣＰＵ１は、ＣＲＴ１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００１９】
プリンタ１５００は、ＣＰＵ１２により制御される。プリンタＣＰＵ１２は、ＲＯＭ１３のプログラム用ＲＯＭに記憶された制御プログラム等或は外部メモリ１４に記憶された制御プログラム等に基づいてシステムバス１５に接続される印刷部（プリンタエンジン）１７に出力情報としての画像信号を出力する。又、このＲＯＭ１３のプログラムＲＯＭには、ＣＰＵ１２の制御プログラム等を記憶する。ＲＯＭ１３のフォント用ＲＯＭには上記出力情報を生成する際に使用するフォントデータ等が記憶され、ＲＯＭ１３のデータ用ＲＯＭには、ハードディスク等の外部メモリ１４が無いプリンタの場合には、ホストコンピュータ上で利用される情報等が記憶されている。
【００２０】
ＣＰＵ１２は、入力部１８を介してホストコンピュータとの通信処理が可能となっており、プリンタ内の情報等をホストコンピュータ３０００に通知できる。ＲＡＭ１９は、ＣＰＵ１２の主メモリや、ワークエリア等として機能するＲＡＭで、図示しない増設ポートに接続されるオプションＲＡＭによりメモリ容量を拡張することができるように構成されている。
【００２１】
尚、ＲＡＭ１９は、出力情報展開領域、環境データ格納領域、ＮＶＲＡＭ等に用いられる。前述したハードディスク（ＨＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶したり、展開した印刷データのスプール用として使われる。又、１８は前述した操作パネルで操作のためのスイッチ及びＬＥＤ表示器等が配されている。
【００２２】
又、前述した外部メモリ１４は１個に限らず、複数個備えられ、内蔵フォントを加えたオプションカード、展開した印刷データのスプール用メモリ、言語系の異なるプリンタ制御言語を解釈するプログラムを格納した外部メモリを複数接続できるように構成されていても良い。更に、図示しないＮＶＲＡＭを有し、操作パネル１５０１からのプリンタモード設定情報を記憶するようにしても良い。
【００２３】
図２はプリンタ等の印刷装置が直接接続されているか、或はネットワーク経由で接続されているホストコンピュータにおける典型的な印刷処理の構成図である。
【００２４】
アプリケーション２０１、グラフィックエンジン２０２、プリンタドライバ２０３及びシステムスプーラ２０４は、外部メモリ１１に保存されたファイルとして存在し、実行される場合にＯＳやそのモジュールを利用するモジュールによってＲＡＭ２にロードされ実行されるプログラムモジュールである。又、アプリケーション２０１及びプリンタドライバ２０３は、外部メモリ１１のＦＤや不図示のＣＤ−ＲＯＭ、或は不図示のネットワークを経由して外部ディスク１１のＨＤに追加することが可能となっている。外部メモリ１１に保存されているアプリケーション２０１は、ＲＡＭ２にロードされて実行されるが、このアプリケーション２０１からプリンタ１５００に対して印刷を行う際には、同様にＲＡＭ２にロードされ実行可能となっているグラフィックエンジン２０２を利用して出力（描画）を行う。
【００２５】
グラフィックエンジン２０２は、印刷装置ごとに用意されたプリンタドライバ２０３を同様に外部メモリ１１からＲＡＭ２にロードし、アプリケーション２０１の出力をプリンタドライバ２０３に設定する。そして、アプリケーション２０１から受け取るＧＤＩ（Ｇｒａｐｈｉｃ  Ｄｅｖｉｃｅ  Ｉｎｔｅｒｆａｃｅ）関数からＤＤＩ（Ｄｅｖｉｃｅ  Ｄｒｉｖｅｒ  Ｉｎｔｅｒｆａｃｅ  ）関数に変換して、プリンタドライバ２０３へＤＤＩ関数を出力する。
【００２６】
プリンタドライバ２０３は、グラフィックエンジン２０２から受け取ったＤＤＩ関数に基づいて、プリンタが認識可能な制御コマンド、例えばＰＤＬ（Ｐａｇ  ｅ  Ｄｅｓｃｒｉｐｔｉｏｎ  Ｌａｎｇｕａｇｅ）に変換する。変換されたプリンタ制御コマンドは、ＯＳによってＲＡＭ２にロードされたシステムスプーラ２０４を経てインタフェース２１経由でプリンタ１５００へ印刷データとして出力される仕組みとなっている。
【００２７】
本実施の形態に係る印刷システムは、図２で示すプリンタとホストコンピュータから成る印刷システムに加えて、更に第３図に示すように、アプリケーションからの印刷データを一旦中間コードデータでスプールする構成を有する。
【００２８】
図３は図２のシステムを拡張したもので、グラフィックエンジン２０２からプリンタドライバ２０バ２０３へ印刷命令を送る際に、一旦中間コードから成るスプールファイル３０３を生成する構成を採る。図２のシステムでは、アプリケーション２０１が印刷処理から開放されるのはプリンタドライバ２０３がグラフィックエンジン２０２からの全ての印刷命令をプリンタの制御コマンドへ変換し終った時点である。これに対して、図３のシステムでは、スプーラ３０２が全ての印刷命令を中間コードデータに変換し、スプールファイル３０３に出力した時点である。
【００２９】
通常、後者の方が短時間で済む。又、図３で示すシステムにおいては、スプールファイル３０３の内容に対して加工することができる。これによりアプリケーションからの印刷データに対して、拡大縮小や、複数ページを１ページに縮小して印刷する等、アプリケーションの持たない機能を実現することができる。
【００３０】
これらの目的のために、図２のシステムに対し、図３のように中間コードデータでスプールするよう、システムの拡張がなされてきている。尚、印刷データの加工を行うためには、通常プリンタドライバ２０３が提供するウインドウから設定を行い、プリンタドライバ２０３がその設定内容をＲＡＭ２上或は外部メモリ１１上に保管する。
【００３１】
以下、図３の詳細を説明する。
【００３２】
図３に示すように、この拡張された処理方式では、グラフィックエンジン２０２からの印刷命令をディスパッチャ３０１が受け取る。ディスパッチャ３０１がグラフィックエンジン２０２から受け取った印刷命令がアプリケーション２０１からグラフィックエンジン２０２へ発行された印刷命令の場合には、ディスパッチャ３０１は、外部メモリ１１に格納されているスプーラ３０２をＲＡＭ２にロードし、プリンタドライバ２０３ではなくスプーラ３０２へ印刷命令を送付する。
【００３３】
スプーラ３０２は、受け取った印刷命令を中間コードに変換してスプールファイル３０３に出力する。又、スプーラ３０２は、プリンタドライバ２０３に対して設定されている印刷データに関する加工設定をプリンタドライバ２０３から取得してスプールファイル３０３に保存する。尚、スプールファイル３０３は外部メモリ１１上にファイルとして生成するが、ＲＡＭ２上に生成されても構わない。更に、スプーラ３０２は、外部メモリ１１に格納されているスプールファイルマネージャ３０４をＲＡＭ２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行えるか判断する。
【００３４】
スプールファイルマネージャ３０４がグラフィックエンジン２０２を利用して印刷を行えると判断した際には、外部メモリ１１に格納されているデスプーラ３０５をＲＡＭ２にロードし、デスプーラ３０５に対して、スプールファイル３０３に記述された中間コードの印刷処理を行うように指示する。
【００３５】
デスプーラ３０５は、スプールファイル３０３に含まれる中間コードをスプールファイル３０３に含まれる加工設定の内容に従って加工し、もう一度グラフィックエンジン２０２経由で出力する。
【００３６】
ディスパッチャ３０１がグラフィックエンジン２０２から受け取った印刷命令がデスプーラ３０５からグラフィックエンジン２０２へ発行された印刷命令の場合には、ディスパッチャ３０１は、スプーラ３０２ではなく、プリンタドライバ２０３に印刷命令を送る。
【００３７】
プリンタドライバ２０３は、プリンタ制御コマンドを生成し、システムスプーラ２０４経由でプリンタ１５００に出力する。
【００３８】
図４はクライアントでバナーを作成する時の制御方法を示したフローチャート。図５はバナー付きプリントジョブを受け取ったプリンタがどのようにバナーを制御するかを示したフローチャート、図６はクライアントで作成されるバナー付きＰＤＬプリントジョブをコマンドレベルで説明した例を示す図、図７はクライアントから送られてくるバナー付きプリントジョブをコントローラとエンジンがどのように時系列的に処理するかを示す図、図８及び図９は本発明であるバナー印刷時のカラーモード制御方法をユーザが設定するための手段の一例を示したものである。
【００３９】
以下、図４及び図５に示すフローチャートを中心にして本実施の形態を詳しく説明する。
【００４０】
先ず、図４の４０１で示すように、ホストコンピュータ上のアプリケーションから印刷実行命令が指示されると、図３の３０１のディスパッチャがグラフィックエンジンから印刷命令を受け取り、プリンタドライバに対して設定されているバナーの設定項目をプリンタドライバから取得する。ここで、図４の４０２で示すように、バナー印刷が設定されている場合には、図３の３０４のスプールファイルマネージャがデスプーラにその旨を伝え、図４の４０３で示すように、デスプーラでバナーの作成を行う。
【００４１】
本発明におけるバナーのテキスト色は、前記バナーの設定項目に含まれており、デスプーラによってテキスト色が設定される。デスプーラにてバナーの印刷が設定されていない場合には、バナーの作成は行わない。バナーの作成が終わると、デスプーラは、もう一度グラフィックエンジンにデータを送り、送られてきたデータは、図４の４０４で示すようにプリンタドライバで、バナー開始命令と終了命令が付加されて、ＰＤＬプリントジョブとしてプリンタに送出される。この際、バナーのテキスト色については、ＰＤＬコマンドとしてプリンタに送出される。
【００４２】
図５はプリンタドライバによって作成されたプリンタ制御コマンドがシステムスプーラ経由でプリンタに送られてきた場合のプリンタ側の制御方法を説明したものである。
【００４３】
先ず、図５の５０１で、「バナーの開始命令がプリントジョブの先頭にあるか」の確認が行われる。開始命令としては、以下のようなＪＬコマンドで指定される。
【００４４】
＠ＰＪＬ  ＣＯＭＭＥＮＴ  ＣＡＮＰＪＬ  ＳＥＴ  ＤＯＣＵＭＥＮＴＴＹＰＥ＝ＢＡＮＮＥＲ
ここで、Ｙｅｓの場合は、図５の５０２で示すように、バナー終了命令がくるまでのデータをバナーとして認識し、プリンタメモリ上にバナーをビットマップで展開する。バナーに対してモノクロ印刷を指定した場合のプリントジョブは、バナー開始命令の直後に以下の命令が発行される。
【００４５】
＠ＰＪＬ  ＣＯＭＭＥＮＴ  ＣＡＮＰＪＬ  ＳＥＴ  ＣＯＬＯＲＭＯＤＥ＝ＭＯＮＯ
これにより、プリンタは、バナー部に関してモノクロモードで動作する。
【００４６】
一方、バナーに対してカラー印刷を指定した場合のプリントジョブについては、バナー開始命令の直後に以下の命令が発行される。
【００４７】
＠ＰＪＬ  ＣＯＭＭＥＮＴ  ＣＡＮＰＪＬ  ＳＥＴ  ＣＯＬＯＲＭＯＤＥ＝ＣＯＬＯＲ
これにより、プリンタは、バナー部に関してカラーモードで動作する。
【００４８】
そして、本発明におけるバナーをカラーモードで印刷する場合のテキスト色は、ステップＳ５０２内でＰＤＬコマンドとして送信されてくるので、プリンタはＰＤＬコマンドに従い処理を行えばよい。
【００４９】
又、バナーの終了命令としては、以下のようなＪＬコマンドで指定される。
【００５０】
＠ＰＪＬ  ＣＯＭＭＥＮＴ  ＣＡＮＰＪＬ  ＳＥＴ  ＤＯＣＵＭＥＮＴＴＹＰＥ＝ＪＯＢ
以降の命令は、本文用の命令として処理される。
【００５１】
次に、図５の５０３で示すように、バナー終了命令に続くフィニッシング制御コマンドの確認を行い、引き続き展開をする実際の描画データを特定のトレイに出力しなくてならない場合には、図５の５０４で示すように、前記で展開したバナーを、描画データが出力されるのと同じトレイに出力する。特に、特定のトレイに出力する必要がない場合には、図５の５０５で示すように、例えば、プリンタのパネルで設定されているデフォルトのトレイにバナーの出力を行う。ここで言っている、描画データを特定のトレイに出力しなくてはならない場合であるが、例えばステイプルが選択されている場合で、且つ、プリンタがステイプルを行えないトレイを持っている場合等である。バナーの出力が終わると、図５の５０６で示すように、実際の描画データをメモリ上に展開して順次プリンタに出力する。
【００５２】
図６は本実施の形態でプリンタドライバが作成するプリンタ制御コマンドの例を示したものである。
【００５３】
先ず、ジョブ開始命令が発行され、次に「バナー開始命令」と「バナー終了命令」に囲まれたバナーの実体が続く。そして、その後に、フィニッシング等の設定内容を示す命令が発行される。
【００５４】
本実施の形態では、ＰＪＬのコメントを用いてフィニッシング等の制御を行っているが、これは誤って本ドライバから、本システムをサポートしていない他社のプリンタにプリントジョブが送られた場合でも、ＰＪＬのコメントとして追加された独自コマンドならば誤動作等を起こさないという特徴がある。
【００５５】
次に、フィニッシング機能を例に取り、独自コマンドとして追加したＰＪＬについて説明する。
【００５６】
例えば、「ステイプルを左上に打ちたい」といった内容が設定される場合には、
＠ＰＪＬ  ＣＯＭＭＥＮＴ  ＣＡＮＰＪＬ  ＳＥＴ  ＳＴＡＰＬＥ＝ＧＥＮＥＲＩＣＯＮ
＠ＰＪＬ  ＣＯＭＭＥＮＴ  ＣＡＮＰＪＬ  ＳＥＴ  ＬＯＣＡＴＩＯＮ＝ＵＰＰＥＲ＿ＬＥＦＴ
というＰＪＬが発行される。プリンタは、２行目のＣＡＮＰＪＬ  ＳＥＴ  ＳＴＡＰＬＥ  のチェックを行い、ここがＧＥＮＥＲＩＣＯＮ  であればステイプルありと判断し、上記で説明したように、必要があればバナーの出力されるトレイを変更する。
【００５７】
本実施の形態では、バナー開始命令、終了命令及びカラーモードの指定についてもＰＪＬのコメントとして追加した独自コマンドとして実現している。
【００５８】
本実施の形態で説明しているプリンタドライバは、バナーと描画データを１つのジョブとしてプリンタに送っているが、プリンタ内部では、バナーと描画データは、別ジョブとして処理されている。つまり、プリントジョブを受け取ったプリンタは、バナーの終了命令を受け取った時点でジョブを一度クローズして、エンジンに対して出力命令を行う。これは、バナーも含めた描画データを１ジョブと見なすと、例えば描画データに対してステイプル命令があった場合に、バナーまで本文と一緒にステイプルされてしまうためである。つまり、図６で示すフィニッシング等の設定を示すＪＬ  Ｃｏｍｍａｎｄの影響する範囲は、バナーを含まない本文だけということである。
【００５９】
図７はプリンタドライバで作成されるバナー付きプリントジョブをコントローラとエンジンがどのように時系列的に処理をしているかを示した図である。
【００６０】
前述のように、プリンタは、バナーと描画データを別ジョブとして内部的には処理を行っているが、別ジョブにしたことにより、バナーと本文の間に、第三者のプリントジョブが割り込む可能性が出てくる。これを防ぐために、たとえプリンタが並列処理を行って、第三者のバナーのイメージ展開を本文のプリントジョブの展開より早く終わらせても、バナーと対になった本文の印刷が終わるまでは第三者のバナー出力を行わないようにする。
【００６１】
図８及び図９はバナーの印刷制御方法をユーザに通知する手段を示したものである。
【００６２】
図８で示す「バナーを付ける」が設定されると、本チェックボックスの右にある「Ｄｅｔａｉｌｓ  」が有効となり、これを選択すると、図９で示すようなバナーに対してモノクロ印刷を行うかどうかのチェックボックスが表示される。同チェックボックスがチェックされている場合は、バナー部に対してモノクロ印刷命令が発行される。更に、バナー部に出力するテキスト色を指定可能なドロップダウンリストボックスを提供している。このドロップダウンリストボックスは、バナーをモノクロモードで印刷する場合は選択不可能となる。
【００６３】
図９において、バナーに対してモノクロ印刷が指定されていない場合、バナー印刷開始命令の直後に以下の命令が発行されることになる。
【００６４】
＠ＰＪＬ  ＣＯＭＭＥＮＴ  ＣＡＮＰＪＬ  ＳＥＴ  ＣＯＬＯＲＭＯＤＥ＝ＣＯＬＯＲ
更に、テキスト色については、ＰＤＬ描画時にそのテキスト色がＰＤＬによって指定される。
【００６５】
図１０は本文の印刷モードを変更するユーザインタフェースの一例を示す図である。同図において、「Ｍｏｎｏｃｈｒｏｍｅ」が選択されると、本文はモノクロモードで印刷され、「Ｆｕｌｌ  Ｃｏｌｏｒ」が選択されると、本文はカラーモードで印刷される。
具体的には、
＠ＰＪＬ  ＣＯＭＭＥＮＴ  ＣＡＮＰＪＬ  ＳＥＴ  ＤＯＣＵＭＥＮＴＴＹＰＥ＝ＪＯＢ
命令発行後、ＰＤＬコマンド発行前に以下のＪＬコマンドが発行される。
【００６６】
カラー印刷の場合    ＠ＰＪＬ  ＣＯＭＭＥＮＴ  ＣＡＮＰＪＬ  ＳＥＴ  ＣＯＬＯＲＭＯＤＥ＝ＣＯＬＯＲ
モノクロ印刷の場合  ＠ＰＪＬ  ＣＯＭＭＥＮＴ  ＣＡＮＰＪＬ  ＳＥＴ  ＣＯＬＯＲＭＯＤＥ＝ＭＯＮＯ
尚、本文に対してモノクロ印刷が指定されている場合には、図９においてチェックボックスがチェックされていなくても、バナーがカラーで印刷されることはない。つまり、
＠ＰＪＬ  ＣＯＭＭＥＮＴ  ＣＡＮＰＪＬ  ＳＥＴ  ＤＯＣＵＭＥＮＴＴＹＰＥ＝ＢＡＮＮＥＲ
の直後に、設定によらず
＠ＰＪＬ  ＣＯＭＭＥＮＴ  ＣＡＮＰＪＬ  ＳＥＴ  ＣＯＬＯＲＭＯＤＥ＝ＭＯＮＯ
が発行されるように制御される。
【００６７】
図１１は本文の印刷モードとバナーのカラーモードの制御方法を示すフローチャートである。
【００６８】
ステップＳ１１０１において、本文の印刷モードがＦｕｌｌ  Ｃｏｌｏｒであれば、ステップＳ１１０２へ進み、バナー部のカラーモードを確認する。ここで、バナー部についてモノクロモードでの印刷が選択されていた場合、ステップＳ１１０３へ進み、バナーをモノクロモードで印刷するように制御する。
【００６９】
又、ステップＳ１１０１において、本文に対してモノクロモードが選択されていた場合は、Ｓ１１０３へ進み、バナーについてもモノクロモードで印刷を行う。ステップＳ１１０２において、バナーに対してカラー印刷が選択されていた場合は、ステップＳ１１０４へ進み、バナーについてカラーモードで印刷する。この場合、テキスト色は、図９のドロップダウンリストボックスにおいて指定されたテキスト色が適用され、ＰＤＬコマンドによってテキスト色が指定されることになる。
【００７０】
そして、Ｓ１１０５において、本文に対して、選択された印刷モードで印刷が行われる。
【００７１】
以上の処理により、カラー印刷が可能なプリンタに対して、バナーと本文の間に第三者のプリントジョブが割り込むといった弊害を防ぎ、本文とバナーが必ず対となった出力を実現しながら、バナー部に描画されるテキスト色をつけて印刷にすることによる印刷者の容易な識別が可能となる。
【００７２】
＜実施の形態２＞
一括管理（  サーバクライアント）
ＷｉｎｄｏｎｓＮＴ系のＯＳにおいて、ユーザごとに権限が異なる場合においては、プリンタドライバは管理者権限が与えられたユーザが特定のＰＣに対してインストールを行い、一般ユーザはＰｏｉｎｔ＆Ｐｒｉｎｔ  等の接続により、各クライアントからサーバ側にインストールされたプリンタドライバ使用するといった形態が一般的である。
【００７３】
又、クライアントＰＣにプリンタドライバがインストールされている場合でも、ログインユーザに対して管理者権限が与えられていない場合、設定可能な項目を限定することが可能である。
【００７４】
図１５は管理者権限を有するユーザに対して提供されるユーザ毎のバナー色変更設定画面の一例を示す図である。
【００７５】
図１５中の「ユーザごとのバナー色指定」ボタンは、管理者権限を有するユーザに対してのみ設定可能である。同ボタンを押下すると、図１２に示すようなダイアログが表示される。管理者権限を有するユーザは、このダイアログによってユーザごとのバナー色を設定可能となる。
【００７６】
図１８にユーザごとのテキスト色を管理するテーブルの一例を示す。
【００７７】
以降、図１４のフローチャートを用いて本実施の形態における処理の流れを説明する。本フローチャートは図４における４０３内の処理として実行される。
【００７８】
先ず、ステップ１４０１において、ジョブからユーザ名情報を取得する。
【００７９】
ステップ１４０２において、取得したユーザ情報がＰＣ内に格納されたユーザ情報に合致するか判定し、合致する場合は対応するカラーによってプリンタ内のユーザごとのバナー色情報をプリンタドライバ内で登録する。合致しない場合は登録外ユーザに対応するバナー色情報をプリンタドライバ内で登録する。
【００８０】
ステップ１４０３において、ステップ１４０２において登録された色情報を用いて、バナーページに対する文字色情報を描画する。
【００８１】
以上の処理により、管理者権限を有するユーザが、ユーザごとのバナー色を一括管理することが可能となる。
【００８２】
＜実施の形態３＞
実施の形態２では、サーバクライアント環境や権限の区別によって、ＰＣ側でユーザ毎のバナー色指定を一括管理したが、プリンタ側にユーザごとのバナー色情報を登録することによっても実現可能である。
【００８３】
この場合の処理を図１７のフローチャートを用いて説明する。
【００８４】
本フローチャートは、図５における５０１と５０２の間によって実行される。
【００８５】
先ず、ステップ１７０１において、ジョブからユーザ名情報を取得する。プリンタがジョブ名を取得する方法としては、以下のＰＪＬが用いられる。
【００８６】
＠ＰＪＬ  ＳＥＴ  ＵＳＥＲＮＡＭＥ＝“ｋｕｊｉｒａｉ  ”
ステップ１７０２において、取得したユーザ情報が格納されたユーザ情報に合致するか判定し、合致する場合は対応するカラーによってプリンタ内のユーザごとのバナー色情報をデフォルトカラーとして本体内で登録する。合致しない場合は登録外ユーザに対応するバナー色情報をデフォルトカラーとして本体内で登録する。
【００８７】
ステップ１７０３において、バナーページに対する文字色情報を指定するＰＤＬを受け取る。この際、「本体内のデフォルト色を使用する」ことを意味するコマンドがプリンタドライバより発行される。そして、１７０２で登録されたカラーを用いてバナーのテキストが描画される。
【００８８】
以降、図５の５０２によって、プリンタドライバから発行されるコマンドを順次処理し、本体内で設定された色によってバナーページに対する描画が行われる。
【００８９】
プリンタに格納されるデータ形式は実施の形態２における図１８のような形式であって構わない。又、格納方法はプリンタ本体パネルからの直接入力であっても良く、ホストからのデータダウンロードであっても良い。又、プリンタに格納されたユーザごとのバナー色情報は、実施の形態２における図１５及び図１２の画面同様のユーザインタフェースにより、プリンタドライバから参照可能であっても良い。
【００９０】
＜実施の形態４＞
先の実施の形態では、ＰＪＬコマンドを用いたコマンド体系について説明してきたが、本発明を満たすという点では、ＰＪＬを使用せずとも、例えば図１３に示すように、本システムをサポートしているプリンタのみが識別可能なデータ形式によってバナー部とプリントジョブ部を識別可能なデータ形式を採用しても良い。
【００９１】
図１３では、バナー印刷用データ部１３０１と通常印刷用データ部１３０２が第２階層で分離されている。プリンタは各階層の開始及び終了を示すコマンドを解析可能である。
【００９２】
本実施の形態においては、バナー印刷用データにはバナー印刷用のカラーモード指定１３０３及び排紙先指定１３０５が、プリントジョブ用データにはプリントジョブ用のカラーモード指定１３０４及びフィニッシング指定１３０６がそれぞれ包含されることになる。バナー部とプリントジョブ部同じトレイに出力するには、排紙先指定１３０４及び１３０６に同一の場所を指定すれば良い。
【００９３】
又、プリントジョブにのみステイプルを行うためには、ステイプル指定１３０７をプリントジョブ部１３０２にのみ指定すれば良い。
【００９４】
この印刷ジョブを受け取ったプリンタは、コマンドの解析を行い、バナー印刷に関してはバナーページに対してに指定されたカラーモードを、プリントジョブに関してはプリントジョブに対して指定されたカラーモードを用いてそれぞれ印刷物の生成をおこなうことになる。
【００９５】
＜他の実施の形態＞
尚、本発明は、複数の機器（例えば、ホストコンピュータ、インタフェイス機器、リーダ、プリンタ等）から構成されるシステムに適用しても、１つの機器から成る装置（複写機、プリンタ、ファクシミリ装置等）に適用しても良い。
【００９６】
又、本発明の目的は、前述した実施の形態の機能を実現する手順を実現するプログラムコードを記憶した記憶媒体を、システム或は装置のコンピュータ（又はＣＰＵやＭＰＵ）が記憶媒体に格納されたプログラムコードを読出し実行することによっても達成される。この場合、記憶媒体から読み出されたプログラムコード自体が前述した実施の形態の機能を実現することになり、そのプログラムコードを記憶した記憶媒体は本発明を構成することになる。
【００９７】
プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９８】
又、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００９９】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【０１００】
【発明の効果】
以上説明したように、本発明によれば、カラー印刷が可能なプリンタにおいて、バナーと本文の間に第三者のプリントジョブが割り込むといった弊害を防ぎ、本文とバナーが必ず対となった出力を実現しながら、バナー部の印刷を本文の印刷設定と独立してモノクロ印刷を指定できるようになる。
【図面の簡単な説明】
【図１】本発明の実施の形態１に係る印刷制御装置の構成を説明するブロック図である。
【図２】ホストコンピュータにおける典型的な印刷データ生成方法を説明するブロック図である。
【図３】中間コードを生成する図２を拡張した印刷データ生成方法を説明するブロック図である。
【図４】クライアントでバナーを作成するときの制御方法を示したフローチャートである。
【図５】バナー付きプリントジョブを受け取ったプリンタがどのようにバナーを制御するかを示したフローチャートである。
【図６】クライアントで作成されるバナー付きＰＤＬプリントジョブをコマンドレベルで説明した例を示す図である。
【図７】クライアントから送られてくるバナー付きプリントジョブをコントローラとエンジンがどのように時系列的に処理するかを示した図である。
【図８】バナー印刷制御方法をユーザが設定するための手段の一例を示した図である。
【図９】バナー印刷時のカラーモード制御方法をユーザが設定するための手段の一例を示した図である。
【図１０】本文の印刷モードを変更するユーザインタフェースの一例を示す図である。
【図１１】管理者権限を有するユーザに対して提供される、ユーザ毎のバナー色変更設定画面の一例を示す図である。
【図１２】管理者権限を有するユーザに対して提供される、ユーザ毎のバナー色変更設定画面の一例を示す図である。
【図１３】クライアントで作成されるバナー付きＰＤＬプリントジョブのデータ形式を示す一例である。
【図１４】本発明の実施の形態２の処理を示すフローチャートである。
【図１５】本発明の実施の形態２２におけるユーザごとのカラー設定設定画面の一例を示す図である。
【図１６】本発明の実施の形態２におけるユーザごとのテキスト色を管理するテーブルの一例を示す図である。
【図１７】本発明の実施の形態３の処理を示すフローチャートである。
【符号の説明】
１      ＣＰＵ
２      ＲＡＭ
３      ＲＯＭ
４      システムバス
１２    ＣＰＵ
１３      ＲＯＭ
１９      ＲＡＭ
３０００  ホストコンピュータ
１５００  プリンタ
【図１】
2004240850.tif 000003
【図２】
2004240850.tif 000004
【図３】
2004240850.tif 000005
【図４】
2004240850.tif 000006
【図５】
2004240850.tif 000007
【図６】
2004240850.tif 000008
【図７】
2004240850.tif 000009
【図８】
2004240850.tif 000010
【図９】
2004240850.tif 000011
【図１０】
2004240850.tif 000012
【図１１】
2004240850.tif 000013
【図１２】
2004240850.tif 000014
【図１３】
2004240850.tif 000015
【図１４】
2004240850.tif 000016
【図１５】
2004240850.tif 000017
【図１６】
2004240850.tif 000018
【図１７】
2004240850.tif 000019